(57)【要約】【課題】使い勝手のよい警戒システムを提供する。【解決手段】入力部５００と、警戒モードの開始命令を受け付けると、所定の時間の経過後に警戒モードを開始するための制御部２００，１００とを備える警戒システム１が提供される。制御部２００，１００は、入力部５００を介して所定の入力を受け付けると警戒モードの開始までの時間を延長する。【選択図】図３
2020047154.tif 000002
【特許請求の範囲】
【請求項１】
入力部と、
警戒モードの開始命令を受け付けると、所定の時間の経過後に警戒モードを開始するための制御部とを備え、
前記制御部は、前記入力部を介して所定の入力を受け付けると前記警戒モードの開始までの時間を延長する、警戒システム。
【請求項２】
前記入力部はマイクを含み、
前記制御部は、前記マイクを介して所定の音声を検知すると、前記警戒モードの開始までの時間を延長する、請求項１に記載の警戒システム。
【請求項３】
前記入力部は操作部を含み、
前記制御部は、前記操作部に対する所定の操作を検知すると、前記警戒モードの開始までの時間を延長する、請求項１に記載の警戒システム。
【請求項４】
前記入力部は人感センサを含み、
前記制御部は、前記人感センサが人の動きを検知すると、前記警戒モードの開始までの時間を延長する、請求項１に記載の警戒システム。
【請求項５】
出力部をさらに備え、
前記制御部は、前記警戒モードの開始までの時間が短くなると、前記警戒モードを開始してもよいかを前記出力部を介してユーザに問い合わせる、請求項１から４のいずれか１項に記載の警戒システム。
【請求項６】
入力部と、
警戒モードの開始命令を受け付けると、所定の時間の経過後に警戒モードを開始するための制御部とを備え、
前記制御部は、前記入力部を介して所定の入力を受け付けると前記警戒モードの開始までの時間を短縮する、警戒システム。
【請求項７】
前記入力部はマイクを含み、
前記制御部は、前記マイクを介して所定の音声を検知すると、前記警戒モードの開始までの時間を短縮する、請求項６に記載の警戒システム。
【請求項８】
前記入力部は照明の操作部を含み、
前記制御部は、前記操作部に対する所定の操作を検知すると、前記警戒モードの開始までの時間を短縮する、請求項６に記載の警戒システム。
【発明の詳細な説明】
【技術分野】
【０００１】
本発明は、ユーザ外出時における屋内への侵入を検知するための警戒システムの技術に関する。
【背景技術】
【０００２】
従来から、警戒システムに関する技術が知られている。たとえば、特開２００６−１９０１５１号公報（特許文献１）には、監視システムが開示されている。特許文献１によると、外出警戒スイッチが操作されたときにはホームゲートウェイが人感信号の出力状態および生活機器の運転状態に基づいて在宅者の有無を判断する。そして、在宅者の存在時には外出警戒モードの設定拒否を判定し、在宅者の非存在時には外出警戒モードの設定許可を判定する。このため、在宅者の存在状態で外出警戒モードが設定されることがなくなるので、在宅者の存在に基づいて不法侵入が誤検出されることもなくなる。
【先行技術文献】
【特許文献】
【０００３】
【特許文献１】特開２００６−１９０１５１号公報
【発明の概要】
【発明が解決しようとする課題】
【０００４】
本発明の目的は、使い勝手のよい警戒システムを提供することにある。
【課題を解決するための手段】
【０００５】
本発明のある態様に従うと、入力部と、警戒モードの開始命令を受け付けると、所定の時間の経過後に警戒モードを開始するための制御部とを備える警戒システムが提供される。制御部は、入力部を介して所定の入力を受け付けると警戒モードの開始までの時間を延長する。
【発明の効果】
【０００６】
以上のように、本発明によれば、使い勝手のよい警戒システムが提供される。
【図面の簡単な説明】
【０００７】
【図１】第１の実施の形態にかかる警戒システム１の全体構成を示すイメージ図である。
【図２】第１の実施の形態にかかるコントローラ２００の構成を表わすブロック図である。
【図３】第１の実施の形態にかかるコントローラ２００の情報処理を示すフローチャートである。
【図４】第１の実施の形態にかかる照明５００の構成を表わすブロック図である。
【図５】第４の実施の形態にかかるコントローラ２００の情報処理を示すフローチャートである。
【図６】第５の実施の形態にかかる警戒システム１の全体構成を示すイメージ図である。
【図７】第５の実施の形態にかかるサーバ１００の構成を表わすブロック図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜警戒システム１の全体構成＞
【０００９】
まずは、図１を参照して、本実施の形態にかかる警戒システム１の全体構成について説明する。警戒システム１は、主たる装置として、複数の部屋のそれぞれに配置される複数の照明５００と、ホームゲートウェイ３００などを介して複数の照明５００と通信可能なコントローラ２００とを含む。本実施の形態においては、複数の照明５００の各々が、ユーザの外出時に侵入者を検知するための人感センサを有するものであるが、人感センサは照明とは別に設けられてもよい。
＜ネットワークシステムの動作概要＞
【００１０】
次に、本実施の形態にかかる警戒システム１の動作概要について説明する。本実施の形態においては、ユーザが、外出直前にコントローラ２００に外出警戒モードを開始させるための命令を入力すると、コントローラ２００が所定時間、たとえば１分など、経過後に外出警戒モードを開始するものである。そして当該外出警戒モードにおいては、コントローラ２００は、複数の照明５００を介して各部屋に人がいないかどうかを確認して、侵入者が検知された場合には、通信回線を介して警備会社に通知する。そのためユーザが、上記の命令から所定時間以内に家から出ないと、コントローラ２００は誤ってユーザを侵入者として検知してしまう可能性がある。
【００１１】
そこで、本実施の形態においては、外出警戒モードを開始させるための命令の入力後に、ユーザが所定の命令をコントローラ２００に入力すると、コントローラ２００が外出警戒モードの開始までの残り時間を延長するものである。より詳細には、コントローラ２００は、照明５００のマイクなどを介して、所定の音声、たとえば「延長」というキーワードや咳払いなど、を受け付けると、外出警戒モードの開始までの時間を所定時間、たとえば１分間など、延長する。
【００１２】
これによって、本実施の形態にかかる警戒システム１においては、ユーザが外出直前に忘れ物に気が付いた場合や、玄関から出るまでの時間が想定以上に長くなった場合に、容易に外出警戒モードの開始を遅らせることが可能になる。以下では、このような機能を実現するための警戒システム１について詳細に説明する。
＜サーバ１００の構成＞
【００１３】
図２を参照して、警戒システム１を構成するコントローラ２００の構成の一態様について説明する。本実施の形態にかかるコントローラ２００は、主たる構成要素として、ＣＰＵ（Central Processing Unit）２１０と、メモリ２２０と、ディスプレイ２３０と、操作部２４０と、通信インターフェイス２６０と、スピーカ２７０と、マイク２８０と、タイマ２９０とを含む。
【００１４】
ＣＰＵ２１０は、メモリ２２０あるいは外部の記憶媒体に記憶されているプログラムを実行することによって、コントローラ２００の各部を制御する。
【００１５】
メモリ２２０は、各種のＲＡＭ（Random  Access  Memory）、各種のＲＯＭ（Read-Only  Memory）などによって実現され、コントローラ２００に内包されているものであってもよいし、コントローラ２００の各種インターフェイスに着脱可能なものであってもよいし、コントローラ２００からアクセス可能な他の装置の記録媒体であってもよい。メモリ２２０は、ＣＰＵ２１０によって実行される各種のプログラムや、ＣＰＵ２１０によるプログラムの実行により生成されたデータ、サーバや照明５００から受信した音声データやその他のデータ、操作部２４０を介して入力されたデータなどを記憶する。
【００１６】
ディスプレイ２３０は、ＣＰＵ２１０からの信号に基づいて、画像やテキストなどを表示する。
【００１７】
操作部２４０は、ボタン、タッチパネルなどによって実現され、ユーザからの各種命令を受け付けて、当該命令をＣＰＵ２１０に入力する。
【００１８】
通信インターフェイス２６０は、無線ＬＡＮ通信あるいは有線ＬＡＮなどの通信モジュールによって実現され、有線通信あるいは無線通信によって照明５００やサーバなどの他の装置との間でデータをやり取りする。
【００１９】
スピーカ２７０は、ＣＰＵ２１０からの信号に基づいて、音声を出力する。たとえば、ＣＰＵ２１０は、メモリ２２０に予め登録された音声データやサーバから受信した音声データをスピーカ２７０から出力する。
【００２０】
マイク２８０は、ユーザから音声を受け付けて、音声信号をＣＰＵ２１０に受け渡す。
【００２１】
タイマ２９０は、現在時刻をＣＰＵ２１０に入力したり、指示されたタイミングからの経過時間などを計測してＣＰＵ２１０に入力したりする。
＜情報処理方法＞
【００２２】
次に、図３を参照して、本実施の形態にかかるコントローラ２００における情報処理について説明する。ＣＰＵ２１０は、操作部２４０を介してユーザから、外出警戒モードの開始命令を受け付けると、以下の処理を実行する。
【００２３】
ＣＰＵ２１０は、タイマ２９０の計測を開始する（ステップＳ１０２）。本実施の形態においては、１分経過すると、人感センサによる監視を開始するものとする。
【００２４】
ＣＰＵ２１０は、通信インターフェイス２６０を利用して、各部屋の照明５００を介して、所定の音声を検知したか否かを判断する（ステップＳ１０４）。所定の音声を検知した場合（ステップＳ１０４にてＹＥＳである場合）、ＣＰＵ２１０は、外出警戒モードの開始までの時間を１分延長して（ステップＳ１０６）、ステップＳ１０４からの処理を繰り返す。
【００２５】
所定の音声を検知していない場合（ステップＳ１０４にてＮＯである場合）、ＣＰＵ２１０は、タイマ２９０の計測時間が外出警戒モードの開始までの時間に達したか否かを判断する（ステップＳ１１２）。外出警戒モードの開始までの時間に達した場合（ステップＳ１１２にてＹＥＳである場合）、ＣＰＵ２１０は、通信インターフェイス２６０を利用しながら各部屋の人感センサを利用した外出警戒モードを開始する（ステップＳ１１４）。これ以降、ＣＰＵ２１０は、人感センサが人を検知すると、通信インターフェイス２６０を介して警備会社に異常を通知するようになる。
【００２６】
外出警戒モードの開始までの時間に達していない場合（ステップＳ１１２にてＮＯである場合）、ＣＰＵ２１０は、操作部２４０を介してユーザからキャンセル命令を受け付けたか否かを判断する（ステップＳ１２２）。ＣＰＵ２１０は、キャンセル命令を受け付けていない場合（ステップＳ１２２にてＮＯである場合）、ステップＳ１０４からの処理を繰り返す。
【００２７】
ＣＰＵ１１０は、キャンセル命令を受け付けた場合（ステップＳ１２２にてＹＥＳである場合）、外出警戒モードへの移行を取りやめる。
＜照明５００の構成＞
【００２８】
次に、図４を参照して、警戒システム１を構成する照明５００の構成の一態様について説明する。照明５００は、主たる構成要素として、ＣＰＵ５１０と、メモリ５２０と、ライト本体５３０と、操作部５４０と、通信インターフェイス５６０と、スピーカ５７０と、マイク５８０と、人感センサ５９０とを含む。
【００２９】
ＣＰＵ５１０は、メモリ５２０あるいは外部の記憶媒体に記憶されているプログラムを実行することによって、照明５００の各部を制御する。
【００３０】
メモリ５２０は、各種のＲＡＭや、各種のＲＯＭなどによって実現され、照明５００に内包されているものであってもよいし、照明５００の各種インターフェイスに着脱可能なものであってもよいし、照明５００からアクセス可能な他の装置の記録媒体であってもよい。メモリ５２０は、ＣＰＵ５１０によって実行される各種のプログラムや、ＣＰＵ５１０によるプログラムの実行により生成されたデータ、コントローラ２００やサーバなどから受信した音声データやその他のデータ、操作部５４０を介して入力されたデータなどを記憶する。
【００３１】
ライト本体５３０は、ＣＰＵ５１０からの信号に基づいて、操作部５４０などを介して指定された強度の光を発する。
【００３２】
操作部５４０は、ボタン、タッチパネルなどによって実現され、ユーザからの各種命令を受け付けて、当該命令をＣＰＵ５１０に入力する。
【００３３】
通信インターフェイス５６０は、無線ＬＡＮ通信あるいは有線ＬＡＮなどの通信モジュールによって実現され、有線通信あるいは無線通信によってコントローラ２００やサーバなどの他の装置との間でデータをやり取りする。たとえば、ＣＰＵ５１０は、操作部５４０を介して受け付けた電源ＯＮ命令や強度を指定する命令や、人感センサ５９０の検知結果を示すデータや、マイク５８０を介して受け付けた音声データなどを、通信インターフェイス５６０を介してコントローラ２００やサーバに送信する。ＣＰＵ５１０は、通信インターフェイス５６０を介して、コントローラ２００やサーバからの各種命令を受け付ける。
【００３４】
スピーカ５７０は、ＣＰＵ５１０からの信号に基づいて、音声を出力する。たとえば、ＣＰＵ５１０は、メモリ５２０に予め登録された音声データやコントローラ２００やサーバから受信した音声データをスピーカ５７０から出力する。
【００３５】
マイク５８０は、ユーザから音声を受け付けて、音声信号をＣＰＵ５１０に受け渡す。
【００３６】
人感センサ５９０は、照明５００の周囲の人間を検知して、検知結果をＣＰＵ５１０に受け渡す。
【００３７】
以上のように、本実施の形態にかかる警戒システム１においては、ユーザが所定の音声を入力することによって、容易に外出警戒モードの開始を遅らせることが可能になる。
＜第２の実施の形態＞
【００３８】
上記の実施の形態においては、照明５００を介して所定の音声を受け付けると、外出警戒モードに移行するまでの待機時間を延長するものであった。しかしながら、コントローラ２００は、音声に限らず、他の所定の入力に基づいて、外出警戒モードに移行するまでの待機時間を延長してもよい。
【００３９】
たとえば、照明５００の操作部５４０に対する所定の操作、たとえば、２秒以内にＯＮ命令とＯＦＦ命令とを入力する操作など、が入力されると、所定の入力を検知したものとして（図３におけるステップＳ１０４にてＹＥＳである場合）、コントローラ２００のＣＰＵ２１０が、外出警戒モードの開始までの時間を１分延長して（ステップＳ１０６）、ステップＳ１０４からの処理をくりかえす。
【００４０】
あるいは、照明５００の人感センサ５９０が人を検知すると、所定の入力を検知したものとして（図３におけるステップＳ１０４にてＹＥＳである場合）、コントローラ２００のＣＰＵ２１０が、外出警戒モードの開始までの時間を１分延長して（ステップＳ１０６）、ステップＳ１０４からの処理をくりかえしてもよい。
＜第３の実施の形態＞
【００４１】
上記の実施の形態に加えて、コントローラ２００のＣＰＵ２１０は、図３のステップＳ１２２にてＮＯである場合において、あるいはステップＳ１０４の直前などにおいて、外出警戒モードへの移行までの残り時間が所定時間、たとえば１０秒など、未満であるときに、スピーカ２７０や照明５００のスピーカ５７０などを介して、このまま外出警戒モードを開始してもよいかを問い合わせるための音声メッセージを出力させてもよい。これによって、ユーザは、外出警戒モードの開始までの時間を延長するための操作を行ったり、外出警戒モードを取りやめるための操作を行ったりすることができる。
＜第４の実施の形態＞
【００４２】
上記の実施の形態においては、所定の入力を受け付けると、外出警戒モードに移行するまでの待機時間を延長するものであった。しかしながら、逆に、予め外出警戒モードに移行するまでの待機時間が長めに設定され、所定の入力を受け付けると、当該待機時間を短くするものであってもよい。
【００４３】
以下では、図５を参照して、本実施の形態にかかるコントローラ２００における情報処理について説明する。ＣＰＵ２１０は、操作部２４０を介して、ユーザから外出警戒モードの開始命令を受け付けると、以下の処理を実行する。
【００４４】
ＣＰＵ２１０は、タイマ２９０の計測を開始する（ステップＳ１０２）。本実施の形態においては、５分経過すると、人感センサによる監視を開始するものとする。
【００４５】
ＣＰＵ２１０は、通信インターフェイス２６０を利用して、各部屋の照明５００を介して、所定の音声を検知したか否かを判断する（ステップＳ１０４）。所定の音声を検知した場合（ステップＳ１０４にてＹＥＳである場合）、ＣＰＵ２１０は、外出警戒モードの開始までの残り時間を２０秒に設定し直して当該２０秒待機してから（ステップＳ４０６）、ステップＳ１１４からの処理を実行する。
【００４６】
所定の音声を検知していない場合（ステップＳ１０４にてＮＯである場合）、ＣＰＵ２１０は、タイマ２９０の計測時間が外出警戒モードの開始までの時間に達したか否かを判断する（ステップＳ１１２）。外出警戒モードの開始までの時間に達した場合（ステップＳ１１２にてＹＥＳである場合）、ＣＰＵ２１０は、通信インターフェイス２６０を利用しながら各部屋の照明５００を利用した外出警戒モードを開始する（ステップＳ１１４）。これ以降、ＣＰＵ２１０は、照明５００の人感センサ５９０が人を検知すると、通信インターフェイス２６０を介して警備会社に異常を通知するようになる。
【００４７】
外出警戒モードの開始までの時間に達していない場合（ステップＳ１１２にてＮＯである場合）、ＣＰＵ２１０は、操作部２４０を介してユーザからキャンセル命令を受け付けたか否かを判断する（ステップＳ１２２）。ＣＰＵ２１０は、キャンセル命令を受け付けていない場合（ステップＳ１２２にてＮＯである場合）、ステップＳ１０４からの処理を繰り返す。
【００４８】
ＣＰＵ１１０は、キャンセル命令を受け付けた場合（ステップＳ１２２にてＹＥＳである場合）、外出警戒モードへの移行を取りやめる。
＜第５の実施の形態＞
【００４９】
上記の実施の形態の警戒システム１のコントローラ２００や照明５００など各装置の役割の一部または全部を他の装置が実行したり、複数の装置で分担したりしてもよい。
【００５０】
たとえば、上記の実施の形態においては、照明５００を利用することによって、不審者を検知するものであった。しかしながら、照明５００以外の装置を利用して不審者を検知してもよい。
【００５１】
また、上記の実施の形態においては、照明５００を利用することによって、ユーザから所定の入力を受け付けたか否かを判断するものであった。しかしながら、照明５００以外の入力部を利用してユーザからの所定の入力を受け付けてもよい。
【００５２】
あるいは、図６に示すように、コントローラ２００の処理の一部または全部を、警備会社などが運営するサーバ１００が実行してもよい。
【００５３】
なお、図７を参照して、本実施の形態にかかるサーバ１００は、主たる構成要素として、ＣＰＵ１１０と、メモリ１２０と、操作部１４０と、通信インターフェイス１６０と、タイマ１９０を含む。
【００５４】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００５５】
メモリ１２０は、各種のＲＡＭ、各種のＲＯＭなどによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、その他の本実施の形態にかかる警戒サービスに利用されるデータベースなどを記憶する。
【００５６】
操作部１４０は、サービスの管理者などからの操作を受け付けて、各種の命令をＣＰＵ１１０に入力する。
【００５７】
通信インターフェイス１６０は、音声データや制御命令などの各種データを、インターネット、キャリア網、ルータなどを介してコントローラ２００や照明５００などの他の装置に送信する。逆に、通信インターフェイス１６０は、インターネット、キャリア網、ルータなどを介して他の装置からのデータを受信して、ＣＰＵ１１０に受け渡す。
【００５８】
タイマ１９０は、現在時刻をＣＰＵ１１０に入力したり、指示されたタイミングからの経過時間などを計測してＣＰＵ１１０に入力したりする。
【００５９】
本実施の形態においては、サーバ１００は以下のような情報処理を実行する。図３を参照して、サーバ１００のＣＰＵ１１０は、通信インターフェイス１６０を利用して、コントローラ２００やスマートフォンなどから外出警戒モードの開始命令を受け付けると、以下の処理を実行する。ＣＰＵ１１０は、タイマ１９０の計測を開始する（ステップＳ１０２）。本実施の形態においては、１分経過すると、コントローラ２００を介して人感センサによる監視を開始するものとする。
【００６０】
ＣＰＵ１１０は、通信インターフェイス１６０を利用して、コントローラ２００や各部屋の照明５００を介して、所定の音声を検知したか否かを判断する（ステップＳ１０４）。所定の音声を検知した場合（ステップＳ１０４にてＹＥＳである場合）、ＣＰＵ１１０は、外出警戒モードの開始までの時間を１分延長して（ステップＳ１０６）、ステップＳ１０４からの処理をくりかえす。
【００６１】
所定の音声を検知していない場合（ステップＳ１０４にてＮＯである場合）、ＣＰＵ１１０は、タイマ１９０の計測時間が外出警戒モードの開始までの時間に達したか否かを判断する（ステップＳ１１２）。外出警戒モードの開始までの時間に達した場合（ステップＳ１１２にてＹＥＳである場合）、ＣＰＵ１１０は、通信インターフェイス１６０を利用しながらコントローラ２００や各部屋の照明５００を利用した外出警戒モードを開始する（ステップＳ１１４）。これ以降、ＣＰＵ１１０は、照明５００の人感センサ５９０が人を検知すると、警備会社の他のサーバや運用担当者に異常を通知するようになる。
【００６２】
外出警戒モードの開始までの時間に達していない場合（ステップＳ１１２にてＮＯである場合）、ＣＰＵ１１０は、コントローラ２００を介してキャンセル命令を受け付けたか否かを判断する（ステップＳ１２２）。ＣＰＵ１１０は、キャンセル命令を受け付けていない場合（ステップＳ１２２にてＮＯである場合）、ステップＳ１０４からの処理を繰り返す。
【００６３】
ＣＰＵ１１０は、キャンセル命令を受け付けた場合（ステップＳ１２２にてＹＥＳである場合）、コントローラ２００における外出警戒モードへの移行を取りやめる。
＜まとめ＞
【００６４】
上記の実施の形態においては、入力部と、警戒モードの開始命令を受け付けると、所定の時間の経過後に警戒モードを開始するための制御部とを備える警戒システムが提供される。制御部は、入力部を介して所定の入力を受け付けると警戒モードの開始までの時間を延長する。
【００６５】
好ましくは、入力部はマイクを含む。制御部は、マイクを介して所定の音声を検知すると、警戒モードの開始までの時間を延長する。
【００６６】
好ましくは、入力部は操作部を含む。制御部は、操作部に対する所定の操作を検知すると、警戒モードの開始までの時間を延長する。
【００６７】
好ましくは、入力部は人感センサを含む。制御部は、人感センサが人の動きを検知すると、警戒モードの開始までの時間を延長する。
【００６８】
好ましくは、警戒システムは、出力部をさらに備える。制御部は、警戒モードの開始までの時間が短くなると、警戒モードを開始してもよいかを出力部を介してユーザに問い合わせる。
【００６９】
上記の実施の形態においては、入力部と、警戒モードの開始命令を受け付けると、所定の時間の経過後に警戒モードを開始するための制御部とを備える警戒システムが提供される。制御部は、入力部を介して所定の入力を受け付けると警戒モードの開始までの時間を短縮する。
【００７０】
好ましくは、入力部はマイクを含む。制御部は、マイクを介して所定の音声を検知すると、警戒モードの開始までの時間を短縮する。
【００７１】
好ましくは、入力部は照明の操作部を含む。制御部は、操作部に対する所定の操作を検知すると、警戒モードの開始までの時間を短縮する。
【００７２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７３】
１        ：警戒システム
１００    ：サーバ
１１０    ：ＣＰＵ
１２０    ：メモリ
１４０    ：操作部
１６０    ：通信インターフェイス
１９０    ：タイマ
２００    ：コントローラ
２１０    ：ＣＰＵ
２２０    ：メモリ
２３０    ：ディスプレイ
２４０    ：操作部
２６０    ：通信インターフェイス
２７０    ：スピーカ
２８０    ：マイク
２９０    ：タイマ
３００    ：ホームゲートウェイ
５００    ：照明
５１０    ：ＣＰＵ
５２０    ：メモリ
５３０    ：ライト本体
５４０    ：操作部
５６０    ：通信インターフェイス
５７０    ：スピーカ
５８０    ：マイク
５９０    ：人感センサ
【図１】
2020047154.tif 000003
【図２】
2020047154.tif 000004
【図３】
2020047154.tif 000005
【図４】
2020047154.tif 000006
【図５】
2020047154.tif 000007
【図６】
2020047154.tif 000008
【図７】
2020047154.tif 000009